(57)【特許請求の範囲】
【請求項１】
防温壁で覆われたホウレンソウ水耕栽培室と、
防温壁で覆われたキノコ類栽培室と、
前記ホウレンソウ水耕栽培室と前記キノコ類栽培室との間に設けられていて、前記ホウレンソウ水耕栽培室内で生じた酸素を多く含む空気を前記キノコ類栽培室に供給するとともに、前記キノコ類栽培室で生じた二酸化炭素を多く含む空気を前記ホウレンソウ水耕栽培室に供給し、且つ、該ホウレンソウ水耕栽培室内を減圧する、空気交換・減圧手段と、
前記キノコ類栽培室内の温度が前記ホウレンソウ水耕栽培室内の温度に比べて高くなるように所定の温度差を設ける第１の気体温度調整装置と、
前記ホウレンソウ水耕栽培室に設けられた、該ホウレンソウ水耕栽培室内の温度を下げるための第２の気体温度調整装置と、
前記キノコ類栽培室に設けられた、該キノコ類栽培室内の温度を上げるための第３の気体温度調整装置と、
前記第１の気体温度調整装置のみの駆動で、前記ホウレンソウ水耕栽培室内の温度ｔ１が所望の温度以下、且つ、前記キノコ類栽培室内の温度ｔ２が所望の温度以上になるときに、前記第１の気体温度調整装置のみを駆動させ、且つ、前記第２の気体温度調整装置及び前記第３の気体温度調整装置を停止させる第１の駆動制御パターン、前記第１の気体温度調整装置のみの駆動で、前記ホウレンソウ水耕栽培室内の温度ｔ１が所望の温度を上回るときに、前記第１の気体温度調整装置及び前記第２の気体温度調整装置を駆動させて前記ホウレンソウ水耕栽培室内の温度ｔ１が所望の温度以下となるようにし、且つ、前記第３の気体温度調整装置を停止させる第２の駆動制御パターン、前記第１の気体温度調整装置のみの駆動で、前記キノコ類栽培室内の温度ｔ２が所望の温度を下回るときに、前記第１の気体温度調整装置及び前記第３の気体温度調整装置を駆動させて前記キノコ類栽培室内の温度ｔ２が所望の温度以上となるようにし、且つ、前記第２の気体温度調整装置を停止させる第３の駆動制御パターンのいずれかの駆動制御パターンで、前記第１の気体温度調整装置、前記第２の気体温度調整装置及び前記第３の気体温度調整装置の夫々の駆動を制御する制御装置と、
少なくとも前記第１の気体温度調整装置の駆動により、前記キノコ類栽培室と前記ホウレンソウ水耕栽培室との温度差を調整する際に発生する該ホウレンソウ水耕栽培室内の除湿水を前記キノコ類栽培室内に供給する除湿水供給装置と、
前記除湿水供給装置により前記キノコ類栽培室内に供給された除湿水を用いて、該キノコ類栽培室内を加湿する加湿装置と、
を備えていることを特徴とするホウレンソウとキノコ類の相互栽培施設。
【請求項２】
前記除湿水供給装置は、さらに、前記第２の気体温度調整装置の駆動により、前記ホウレンソウ水耕栽培室内の温度を下げる際に発生する除湿水を前記キノコ類栽培室内に供給することを特徴とする請求項１に記載のホウレンソウとキノコ類の相互栽培施設。
【請求項３】
前記第２の気体温度調整装置の駆動により、前記ホウレンソウ水耕栽培室内の温度を下げる際に発生する除湿水を前記キノコ類栽培室内に供給する第２の除湿水供給装置をさらに備え、
前記加湿装置は、前記第２の除湿水供給装置により前記キノコ類栽培室内に供給された除湿水を用いて、該キノコ類栽培室内を加湿することを特徴とする請求項１に記載のホウレンソウとキノコ類の相互栽培施設。
【請求項４】
前記空気交換・減圧手段が、
前記ホウレンソウ水耕栽培室における上部位置に接続され、前記キノコ類栽培室に連通する、前記ホウレンソウ水耕栽培室内で生じた酸素を多く含む空気を前記キノコ類栽培室に送るための酸素供給管と、
前記キノコ類栽培室における下部位置に接続され、前記酸素供給管の内径の約４分の１の内径を有し、前記ホウレンソウ水耕栽培室に連通する、前記キノコ類栽培室内で生じた二酸化炭素を多く含む空気を前記ホウレンソウ水耕栽培室へ送るための二酸化炭素供給管と、
前記ホウレンソウ水耕栽培室における前記酸素供給管との接続部近傍に設けられ、前記ホウレンソウ水耕栽培室の空気を前記キノコ類栽培室に送り込む換気扇と
を有して構成されていることを特徴とする請求項１〜３のいずれかに記載のホウレンソウとキノコ類の相互栽培施設。
【請求項５】
前記第１の気体温度調整装置は、前記キノコ類栽培室における前記酸素供給管との接続部近傍に設けられた室外機と、前記ホウレンソウ水耕栽培室における前記二酸化炭素供給管との接続部近傍に設けられた室内機とからなることを特徴とする請求項４に記載のホウレンソウとキノコ類の相互栽培施設。
【請求項６】
前記キノコ類栽培室内と前記ホウレンソウ水耕栽培室内との前記所定の温度差が６度以上であることを特徴とする請求項１〜５のいずれかに記載のホウレンソウとキノコ類の相互栽培施設。
【請求項７】
前記ホウレンソウ水耕栽培室内に、栽培中のホウレンソウの葉に微風を送ることで該葉の水分の蒸発を促進する蒸発促進装置を備えていることを特徴とする請求項１〜６のいずれかに記載のホウレンソウとキノコ類の相互栽培施設。
【請求項８】
前記ホウレンソウ水耕栽培室は、養液槽をなす水耕栽培トレイと前記水耕栽培トレイに供給される養液の上方でホウレンソウを載置ないし保持するための水耕栽培パネルを有し、
前記水耕栽培パネルは、下部から供給される水分の蒸発を防ぐ蒸発防止部材を備えていることを特徴とする請求項１〜７のいずれかに記載のホウレンソウとキノコ類の相互栽培施設。
【請求項９】
前記水耕栽培パネルには、成長するホウレンソウの根をガイドする切れ込みが設けられた、ホウレンソウを保持するためのスポンジが備えられ、
前記蒸発防止部材は、前記スポンジの上側表面を覆う樹脂膜からなることを特徴とする請求項８に記載のホウレンソウとキノコ類の相互栽培施設。
【請求項１０】
前記水耕栽培トレイ内に、前記スポンジから下方の養液内に伸びた前記ホウレンソウの根を支持する網目状繊維部材を有することを特徴とする請求項９に記載のホウレンソウとキノコ類の相互栽培施設。
【請求項１１】
前記養液槽内に、前記ホウレンソウの根に酸素を供給する酸素供給装置を備えていることを特徴とする請求項８〜１０のいずれかに記載のホウレンソウとキノコ類の相互栽培施設。
【請求項１２】
前記ホウレンソウ水耕栽培室は、栽培中のホウレンソウを照明するＬＥＤ照明器具を有していることを特徴とする請求項１〜１１のいずれかに記載のホウレンソウとキノコ類の相互栽培施設。
【請求項１３】
前記ホウレンソウ水耕栽培室は、前記水耕栽培トレイと前記水耕栽培パネルと前記水耕栽培パネル内のホウレンソウを照明する前記ＬＥＤ照明器具とを有してなる人工光型栽培設備を、上下方向に複数段重ねた状態で備えていることを特徴とする請求項１２に記載のホウレンソウとキノコ類の相互栽培施設。
【発明の詳細な説明】
【技術分野】
【０００１】
本発明は、ホウレンソウの水耕栽培室とキノコ類の栽培室とを連通させた、ホウレンソウとキノコ類の相互栽培設備に関する。
【背景技術】
【０００２】
キノコは菌類であり、光不要の高温多湿を望む。水分は湿度より吸収して成長する。キノコにより条件は異なるが、例えば、ハナビラタケの場合、湿度は９０％前後で、温度は２２度以上で成長が活性化する。特に酸素濃度（光合成をしないため酸素呼吸しているため）が高く、二酸化炭素濃度が低いほうが好ましい。キノコは寄生菌であり、光合成せず寄生したものより栄養素を吸収して成長する。栄養源があり、高湿度高温であれば、菌類は基本的に活性化する。
【０００３】
一方、植物は種類が多いため種類によって栽培条件が異なるが、基本的に殆どの種類で、種の発芽時と発芽後では栽培条件が異なる。発芽時はキノコの成長と同じ栽培条件であるが、成長後は根部と葉部で栽培条件が異なる。葉部は光合成を行うための光量や二酸化炭素濃度、それに低湿度や風、低気圧などの環境要素が重要となるが、根部は栄養素を吸収するために栄養源、水（もしくは高湿度）、圧力などが重要となる。
【０００４】
キノコは高湿度、酸素、高温が成長促進のために好ましく、植物（この場合、野菜を意味する）はキノコと逆条件で成長が促進されるものが多い。特に冬野菜は低湿度、二酸化炭素、低温が成長促進のための栽培条件であり、成長促進のための栽培条件がキノコと全く逆である。
また、ホウレンソウは、冬野菜として栽培が難しく、上記した低湿度、二酸化炭素、低温という成長促進のための栽培条件を安定的に提供しない限り、収量は不安定になる。
従来、キノコと野菜を夫々単独で栽培するために、その生育環境をつくるための設備投資と電気などのランニングコストが増大している問題がある。
【０００５】
キノコと野菜とで全く異なる成長促進のための栽培条件（お互いに不要な条件が相手方に有利な条件になる特性）を効率的に活用し、キノコと野菜の栽培プランターを共存させ、逆条件の栽培環境を相互で循環させることができれば、閉鎖した循環した栽培環境が構築でき、電気や水道費用などの大幅な節減が見込まれる。
【０００６】
しかるに、従来、第１の空間で栽培される菌類の呼吸により排出される炭酸ガスを、第１の空間に連結された第２の空間で栽培される光合成を行う植物または藻類の光合成に消費する炭酸ガス量に充当させる炭酸ガスの閉鎖循環型連鎖栽培方法として、菌類の呼吸により排出される炭酸ガスの量と植物または藻類の光合成に消費される炭酸ガスの量の所定の条件で調整する方法が、例えば、次の特許文献１に開示されている。
【０００７】
特許文献１では、炭酸ガス（二酸化炭素）の大気への排出による大気汚染、地球温暖化の問題、食糧確保の命題として行われる光合成を行う植物の人工栽培システムに、大量の炭酸ガスが必要となっていて、炭酸ガスの購入に栽培コストがかかり、炭酸ガスの生産等に別途のエネルギーが消費されている問題に着眼し、菌類の呼吸により排出される炭酸ガスを、光合成を行う植物または藻類の人工栽培に活用する着想が記載されている。
【先行技術文献】
【特許文献】
【０００８】
【特許文献１】特開２０１２−７号公報
【発明の概要】
【発明が解決しようとする課題】
【０００９】
ところで、上述したように、キノコは高湿度、酸素、高温を好むのに対し、ホウレンソウは低湿度、二酸化炭素、低温を好み、両者は成長促進のための栽培条件が逆条件となっているため、キノコ類の栽培施設と、ホウレンソウの栽培施設の夫々において、夫々別々の温度、湿度の条件を設定する必要がある。
しかるに、特許文献１では、菌類を栽培する第１の空間、光合成を行う植物または藻類を栽培する第２の空間の夫々の空間における温度、湿度の制御を行うための具体的な構成については言及されていない。
【００１０】
従来、人工栽培施設では、その施設内ごとに、栽培対象の生育に好適な温度、湿度となるように気体温度調整装置や加湿器（あるいは除湿器）等が設けられている。
しかし、特許文献１に記載の栽培方法において、菌類を栽培する第１の空間、光合成を行う植物または藻類を栽培する第２の空間の夫々の空間における温度や湿度を、栽培対象の生育に好適な温度、湿度に調整するために、夫々別々の気体温度調整装置や加湿器（あるいは除湿器）等を用いたのでは、エネルギーのロスになり、その分、電気や水道の使用によるランニングコストが増大してしまう。
【００１１】
本発明は、上記問題点を鑑みてなされたものであり、電気や水道の使用によるランニングコストを極力抑えながら、成長促進のための栽培条件が全く異なるホウレンソウとキノコ類とを効率的に相互栽培可能なホウレンソウとキノコ類の相互栽培設備を提供することを目的とする。
【課題を解決するための手段】
【００１２】
上記目的を達成するため、本発明によるホウレンソウとキノコ類の相互栽培設備は、防温壁で覆われたホウレンソウ水耕栽培室と、防温壁で覆われたキノコ類栽培室と、前記ホウレンソウ水耕栽培室と前記キノコ類栽培室との間に設けられていて、前記ホウレンソウ水耕栽培室内で生じた酸素を多く含む空気を前記キノコ類栽培室に供給するとともに、前記キノコ類栽培室で生じた二酸化炭素を多く含む空気を前記ホウレンソウ水耕栽培室に供給し、且つ、該ホウレンソウ水耕栽培室内を減圧する、空気交換・減圧手段と、前記キノコ類栽培室内の温度が前記ホウレンソウ水耕栽培室内の温度に比べて高くなるように所定の温度差を設ける第１の気体温度調整装置と、前記ホウレンソウ水耕栽培室に設けられた、該ホウレンソウ水耕栽培室内の温度を下げるための第２の気体温度調整装置と、前記キノコ類栽培室に設けられた、該キノコ類栽培室内の温度を上げるための第３の気体温度調整装置と、前記第１の気体温度調整装置のみの駆動で、前記ホウレンソウ水耕栽培室内の温度ｔ１が所望の温度以下、且つ、前記キノコ類栽培室内の温度ｔ２が所望の温度以上になるときに、前記第１の気体温度調整装置のみを駆動させ、且つ、前記第２の気体温度調整装置及び前記第３の気体温度調整装置を停止させる第１の駆動制御パターン、前記第１の気体温度調整装置のみの駆動で、前記ホウレンソウ水耕栽培室内の温度ｔ１が所望の温度を上回るときに、前記第１の気体温度調整装置及び第２の気体温度調整装置を駆動させて前記ホウレンソウ水耕栽培室内の温度ｔ１が所望の温度以下となるようにし、且つ、前記第３の気体温度調整装置を停止させる第２の駆動制御パターン、前記第１の気体温度調整装置のみの駆動で、前記キノコ類栽培室内の温度ｔ２が所望の温度を下回るときに、前記第１の気体温度調整装置及び前記第３の気体温度調整装置を駆動させて前記キノコ類栽培室内の温度ｔ２が所望の温度以上となるようにし、且つ、前記第２の気体温度調整装置を停止させる第３の駆動制御パターンのいずれかの駆動制御パターンで、前記第１の気体温度調整装置、前記第２の気体温度調整装置及び前記第３の気体温度調整装置の夫々の駆動を制御する制御装置と、少なくとも前記第１の気体温度調整装置の駆動により、前記キノコ類栽培室と前記ホウレンソウ水耕栽培室との温度差を調整する際に発生する該ホウレンソウ水耕栽培室内の除湿水を前記キノコ類栽培室内に供給する除湿水供給装置と、前記除湿水供給装置により前記キノコ類栽培室内に供給された除湿水を用いて、該キノコ類栽培室内を加湿する加湿装置と、を備えていることを特徴としている。
【００１３】
また、本発明のホウレンソウとキノコ類の相互栽培設備においては、前記除湿水供給装置は、さらに、前記第２の気体温度調整装置の駆動により、前記ホウレンソウ水耕栽培室内の温度を下げる際に発生する除湿水を前記キノコ類栽培室内に供給するのが好ましい。
【００１４】
また、本発明のホウレンソウとキノコ類の相互栽培設備においては、前記第２の気体温度調整装置の駆動により、前記ホウレンソウ水耕栽培室内の温度を下げる際に発生する除湿水を前記キノコ類栽培室内に供給する第２の除湿水供給装置をさらに備え、前記加湿装置は、前記第２の除湿水供給装置により前記キノコ類栽培室内に供給された除湿水を用いて、該キノコ類栽培室内を加湿するのが好ましい。
【００１５】
また、本発明のホウレンソウとキノコ類の相互栽培設備においては、前記空気交換・減圧手段が、前記ホウレンソウ水耕栽培室における上部位置に接続され、前記キノコ類栽培室に連通する、前記ホウレンソウ水耕栽培室内で生じた酸素を多く含む空気を前記キノコ類栽培室に送るための酸素供給管と、前記キノコ類栽培室における下部位置に接続され、前記酸素供給管の内径の約４分の１の内径を有し、前記ホウレンソウ水耕栽培室に連通する、前記キノコ類栽培室内で生じた二酸化炭素を多く含む空気を前記ホウレンソウ水耕栽培室へ送るための二酸化炭素供給管と、前記ホウレンソウ水耕栽培室における前記酸素供給管との接続部近傍に設けられ、前記ホウレンソウ水耕栽培室の空気を前記キノコ類栽培室に送り込む換気扇とを有して構成されているのが好ましい。
【００１６】
また、本発明のホウレンソウとキノコ類の相互栽培設備においては、前記第１の気体温度調整装置は、前記キノコ類栽培室における前記酸素供給管との接続部近傍に設けられた室外機と、前記ホウレンソウ水耕栽培室における前記二酸化炭素供給管との接続部近傍に設けられた室内機とからなるのが好ましい。
【００１７】
また、本発明のホウレンソウとキノコ類の相互栽培設備においては、前記キノコ類栽培室内と前記ホウレンソウ水耕栽培室内との前記所定の温度差が６度以上であるのが好ましい。
【００１８】
また、本発明のホウレンソウとキノコ類の相互栽培設備においては、前記ホウレンソウ水耕栽培室内に、栽培中のホウレンソウの葉に微風を送ることで該葉の水分の蒸発を促進する蒸発促進装置を備えているのが好ましい。
【００１９】
また、本発明のホウレンソウとキノコ類の相互栽培設備においては、前記ホウレンソウ水耕栽培室は、養液槽をなす水耕栽培トレイと前記水耕栽培トレイに供給される養液の上方でホウレンソウを載置ないし保持するための水耕栽培パネルを有し、前記水耕栽培パネルは、下部から供給される水分の蒸発を防ぐ蒸発防止部材を備えているのが好ましい。
【００２０】
また、本発明のホウレンソウとキノコ類の相互栽培設備においては、前記水耕栽培パネルには、成長するホウレンソウの根をガイドする切れ込みが設けられた、ホウレンソウを保持するためのスポンジが備えられ、前記蒸発防止部材は、前記スポンジの上側表面を覆う樹脂膜からなるのが好ましい。
【００２１】
また、本発明のホウレンソウとキノコ類の相互栽培設備においては、前記水耕栽培トレイ内に、前記スポンジから下方の養液内に伸びた前記ホウレンソウの根を支持する網目状繊維部材を有するのが好ましい。
【００２２】
また、本発明のホウレンソウとキノコ類の相互栽培設備においては、前記養液槽内に、前記ホウレンソウの根に酸素を供給する酸素供給装置を備えているのが好ましい。
【００２３】
また、本発明のホウレンソウとキノコ類の相互栽培設備においては、前記ホウレンソウ水耕栽培室は、栽培中のホウレンソウを照明するＬＥＤ照明器具を有しているのが好ましい。
【００２４】
また、本発明のホウレンソウとキノコ類の相互栽培設備においては、前記ホウレンソウ水耕栽培室は、前記水耕栽培トレイと前記水耕栽培パネルと前記水耕栽培パネル内のホウレンソウを照明する前記ＬＥＤ照明器具とを有してなる人工光型栽培設備を、上下方向に複数段重ねた状態で備えているのが好ましい。
【発明の効果】
【００２５】
本発明によれば、電気や水道の使用によるランニングコストを極力抑えながら、成長促進のための栽培条件が全く異なるホウレンソウとキノコ類とを効率的に相互栽培可能なホウレンソウとキノコ類の相互栽培設備が得られる。
【図面の簡単な説明】
【００２６】
【図１】本発明の一実施形態にかかるホウレンソウとキノコ類の相互栽培設備の全体構成を概略的に示す説明図である。
【図２】図１のホウレンソウとキノコ類の相互栽培設備における制御装置による気体温度調整装置の制御を概念的に示す表である。
【図３】図１のホウレンソウとキノコ類の相互栽培設備におけるホウレンソウ栽培部の要部構成を示す分解斜視図である。
【図４】図３に示す要部構成に備わる水耕栽培パネルの変形例を示す説明図である。
【図５】図１のホウレンソウとキノコ類の相互栽培設備におけるホウレンソウ栽培部の全体構成を概略的に示す説明図である。
【発明を実施するための形態】
【００２７】
実施形態の説明に先立ち、本発明の作用効果について説明する。
本発明のホウレンソウとキノコ類の相互栽培設備は、防温壁で覆われたホウレンソウ水耕栽培室と、防温壁で覆われたキノコ類栽培室と、ホウレンソウ水耕栽培室とキノコ類栽培室との間に設けられていて、ホウレンソウ水耕栽培室内で生じた酸素を多く含む空気をキノコ類栽培室に供給するとともに、キノコ類栽培室で生じた二酸化炭素を多く含む空気をホウレンソウ水耕栽培室に供給し、且つ、ホウレンソウ水耕栽培室内を減圧する、空気交換・減圧手段と、キノコ類栽培室内の温度がホウレンソウ水耕栽培室内の温度に比べて高くなるように所定の温度差を設ける第１の気体温度調整装置と、ホウレンソウ水耕栽培室に設けられた、ホウレンソウ水耕栽培室内の温度を下げるための第２の気体温度調整装置と、キノコ類栽培室に設けられた、キノコ類栽培室内の温度を上げるための第３の気体温度調整装置と、第１の気体温度調整装置のみの駆動で、ホウレンソウ水耕栽培室内の温度ｔ１が所望の温度以下、且つ、キノコ類栽培室内の温度ｔ２が所望の温度以上になるときに、第１の気体温度調整装置のみを駆動させ、且つ、第２の気体温度調整装置及び第３の気体温度調整装置を停止させる第１の駆動制御パターン、第１の気体温度調整装置のみの駆動で、ホウレンソウ水耕栽培室内の温度ｔ１が所望の温度を上回るときに、第１の気体温度調整装置及び第２の気体温度調整装置を駆動させてホウレンソウ水耕栽培室内の温度ｔ１が所望の温度以下となるようにし、且つ、第３の気体温度調整装置を停止させる第２の駆動制御パターン、第１の気体温度調整装置のみの駆動で、キノコ類栽培室内の温度ｔ２が所望の温度を下回るときに、第１の気体温度調整装置及び第３の気体温度調整装置を駆動させてキノコ類栽培室内の温度ｔ２が所望の温度以上となるようにし、且つ、第２の気体温度調整装置を停止させる第３の駆動制御パターンのいずれかの駆動制御パターンで、第１の気体温度調整装置、第２の気体温度調整装置及び第３の気体温度調整装置の夫々の駆動を制御する制御装置と、少なくとも第１の気体温度調整装置の駆動により、キノコ類栽培室とホウレンソウ水耕栽培室との温度差を調整する際に発生するホウレンソウ水耕栽培室内の除湿水をキノコ類栽培室内に供給する除湿水供給装置と、除湿水供給装置によりキノコ類栽培室内に供給された除湿水を用いて、キノコ類栽培室内を加湿する加湿装置と、を備えている。
【００２８】
本発明のホウレンソウとキノコ類の相互栽培設備のように、キノコ類栽培室内の温度がホウレンソウ水耕栽培室内の温度に比べて高くなるように所定の温度差を設ける第１の気体温度調整装置と、ホウレンソウ水耕栽培室に設けられた、ホウレンソウ水耕栽培室内の温度を下げるための第２の気体温度調整装置と、キノコ類栽培室に設けられた、キノコ類栽培室内の温度を上げるための第３の気体温度調整装置と、第１の気体温度調整装置のみの駆動で、ホウレンソウ水耕栽培室内の温度ｔ１が所望の温度以下、且つ、キノコ類栽培室内の温度ｔ２が所望の温度以上になるときに、第１の気体温度調整装置のみを駆動させ、且つ、第２の気体温度調整装置及び第３の気体温度調整装置を停止させる第１の駆動制御パターン、第１の気体温度調整装置のみの駆動で、ホウレンソウ水耕栽培室内の温度ｔ１が所望の温度を上回るときに、第１の気体温度調整装置及び第２の気体温度調整装置を駆動させてホウレンソウ水耕栽培室内の温度ｔ１が所望の温度以下となるようにし、且つ、第３の気体温度調整装置を停止させる第２の駆動制御パターン、第１の気体温度調整装置のみの駆動で、キノコ類栽培室内の温度ｔ２が所望の温度を下回るときに、第１の気体温度調整装置及び第３の気体温度調整装置を駆動させてキノコ類栽培室内の温度ｔ２が所望の温度以上となるようにし、且つ、第２の気体温度調整装置を停止させる第３の駆動制御パターンのいずれかの駆動制御パターンで、第１の気体温度調整装置、第２の気体温度調整装置及び第３の気体温度調整装置の夫々の駆動を制御する制御装置を備えれば、次のような効果が得られる。
【００２９】
例えば、春や秋等の外気と栽培室内との温度差が比較的小さいときには、制御装置を介して第１の気体温度調整装置のみの駆動で、ホウレンソウ水耕栽培室内とキノコ類栽培室内の温度差を所定の温度差以上にし、且つ、ホウレンソウ水耕栽培室内の温度とキノコ類栽培室内の温度を夫々所望の生育条件に適合した温度にすることができる。また、例えば、夏のように、外気の温度が高くなるために、制御装置を介して第１の気体温度調整装置のみの駆動のみでは、ホウレンソウ水耕栽培室内とキノコ類栽培室内の温度差を所定の温度差度以上にしても、ホウレンソウ水耕栽培室内の温度が所望の生育条件に適合した温度よりも高くなってしまうときには、第２の気体温度調整装置を駆動させてホウレンソウ水耕栽培室内を冷やすことで、ホウレンソウ水耕栽培室内の温度を所望の生育条件に適合させることができる。また、例えば、冬のように、外気の温度が低くなるために、制御装置を介して第１の気体温度調整装置のみの駆動のみでは、ホウレンソウ水耕栽培室内とキノコ類栽培室内の温度差を所定の温度差以上にしても、キノコ類栽培室内の温度が所望の生育条件に適合した温度よりも低くなってしまうときには、第３の気体温度調整装置を駆動させてキノコ類耕栽培室内を冷やすことで、キノコ類栽培室内の温度を所望の生育条件に適合させることができる。このように、気体温度調整装置の駆動を、外気の温度が比較的穏やかであるときには、１台の気体温度調整装置のみの駆動でホウレンソウ水耕栽培室内とキノコ類栽培室内を生育条件に適合した温度にすることができ、外気の温度が高・低のいずれかに偏っているときにのみ、２台の気体温度調整装置を駆動させればよいため、従来の生育条件の異なる２つの栽培室内を夫々所望の温度にするために、夫々、別個の気体温度調整装置を常時駆動させる構成に比べて、電気使用量を低減させることができる。
【００３０】
また、ホウレンソウ水耕栽培室を第１の気体温度調整装置の室内機、第２の気体温度調整装置の室内機を介して冷却する際に、除湿水が発生する。
しかるに、本発明のホウレンソウとキノコ類の相互栽培設備のように、少なくとも第１の気体温度調整装置の駆動により、キノコ類栽培室とホウレンソウ水耕栽培室との温度差を調整する際に発生するホウレンソウ水耕栽培室内の除湿水をキノコ類栽培室内に供給する除湿水供給装置と、除湿水供給装置によりキノコ類栽培室内に供給された除湿水を用いて、キノコ類栽培室内を加湿する加湿装置を備えれば、ホウレンソウ水耕栽培室で発生した水分を、キノコ類栽培室を高湿化するために必要な水分の一部として有効活用でき、その分、キノコ類栽培室を高湿化するために外部水道から用いる水の使用量を低減させることができる。
【００３１】
また、本発明のホウレンソウとキノコ類の相互栽培設備においては、好ましくは、除湿水供給装置は、さらに、第２の気体温度調整装置の駆動により、ホウレンソウ水耕栽培室内の温度を下げる際に発生する除湿水をキノコ類栽培室内に供給するように構成するか、あるいは、第２の気体温度調整装置の駆動により、ホウレンソウ水耕栽培室内の温度を下げる際に発生する除湿水をキノコ類栽培室内に供給する第２の除湿水供給装置をさらに備え、加湿装置は、第２の除湿水供給装置によりキノコ類栽培室内に供給された除湿水を用いて、キノコ類栽培室内を加湿するように構成する。
このようにすれば、第２の気体温度調整装置の駆動により、ホウレンソウ水耕栽培室内の温度を下げる際に発生した水分も、キノコ類栽培室を高湿化するために必要な水分の一部としてより一層有効活用でき、キノコ類栽培室を高湿化するために外部水道から用いる水の使用量をより一層低減させることができる。
【００３２】
また、野菜は、葉の成長と根の成長は相互に作用（正の相関）しており、葉が成長するためには根が成長する必要があり、根が成長するためにも葉が成長しなければならない。葉の成長のためには、光合成を行う必要があるが、光合成を行うためには光だけでは不十分であって、根から合成に必要となる栄養素を葉に与えなければならない。しかし、植物には、生物の心臓に相当する部位がなく、基本的にはイオンなどを活用した浸透圧差の力を利用し、重力に逆らって水分を上方に吸い上げている。その水分に栄養素が溶け込んでおり、葉で水分を蒸発させ栄養素を光合成に使っている。
しかるに、トマトなどの場合は、根に水を与えないようにすることで、生体に糖分をつくりだし浸透圧を高めようとして、甘い果実ができるが、この方法は果実栽培では有効なものの、栽培日数がかかるという欠点がある。これに対し、葉物野菜は、甘さまで必要にならないものが多いため、基本的には根に水分を与えて効率よく成長させることが望ましく、ホウレンソウも、そのようにして葉を大きくする必要がある。
【００３３】
ホウレンソウを栽培するときに問題となるのが、その成長の遅さ（光合成できる葉の面積が基本的に少ない）と、温度が高くなったり、日照時間が１２時間を超えたりすると、薹（とう）が立ち、花を咲かせようとすることである。このような状態になると、葉の成長が止まって硬くなり商品価値が下がる。このため、薹をたたせないようにする必要がある。そのためには、温度を上げず光照射時間を１２時間以下にする必要があるが、光照射時間を１２時間以下にすると光合成が不十分で葉が育ち難くなる。そこで、ホウレンソウの栽培においては、浸透圧差を拡大させることが重要で、そのためには葉からの水分の蒸発を活性化させることが重要になる。
【００３４】
しかるに、本発明のホウレンソウとキノコ類の相互栽培設備のように、ホウレンソウ水耕栽培室とキノコ類栽培室との間に設けられていて、ホウレンソウ水耕栽培室内で生じた酸素を多く含む空気をキノコ類栽培室に供給するとともに、キノコ類栽培室で生じた二酸化炭素を多く含む空気をホウレンソウ水耕栽培室に供給し、且つ、ホウレンソウ水耕栽培室内を減圧する、空気交換・減圧手段を備えれば、ホウレンソウ水耕栽培室で発生した酸素と、キノコ類栽培室で発生した二酸化炭素を交換させ易くなるとともに、ホウレンソウ水耕栽培室内の気圧が下がることで、ホウレンソウ水耕栽培室内での葉からの水分を蒸発させやすくなり、ホウレンソウの成長を促進させ易くなる。
【００３５】
なお、本発明のホウレンソウとキノコ類の相互栽培設備においては、好ましくは、空気交換・減圧手段が、ホウレンソウ水耕栽培室における上部位置に接続され、キノコ類栽培室に連通する、ホウレンソウ水耕栽培室内で生じた酸素を多く含む空気をキノコ類栽培室に送るための酸素供給管と、キノコ類栽培室における下部位置に接続され、酸素供給管の内径の約４分の１の内径を有し、ホウレンソウ水耕栽培室に連通する、キノコ類栽培室内で生じた二酸化炭素を多く含む空気をホウレンソウ水耕栽培室へ送るための二酸化炭素供給管と、ホウレンソウ水耕栽培室における酸素供給管との接続部近傍に設けられ、ホウレンソウ水耕栽培室の空気をキノコ類栽培室に送り込む換気扇とを有して構成されている。
【００３６】
このようにすれば、ホウレンソウ水耕栽培室で発生した酸素を多く含む空気と、キノコ類栽培室で発生した二酸化炭素を多く含む空気とを交換させ易くなるとともに、ホウレンソウ水耕栽培室を減圧してホウレンソウの葉の水分を蒸発させ易くなり、ホウレンソウ水耕栽培室内でのホウレンソウの成長を促進できるという効果を具現化できる。
詳しくは、ホウレンソウ水耕栽培室でホウレンソウから発生した酸素は二酸化炭素に比べて軽いため、ホウレンソウ水耕栽培室の上方へ移動する。ホウレンソウ水耕栽培室の上方へ移動した酸素の覆い空気は、換気扇を介して吸い出され、酸素素供給管を介してキノコ類栽培室に供給される。また、キノコ類栽培室でキノコから発生した二酸化炭素は酸素に比べて重いため、キノコ類栽培室の下方へ移動する。このとき、二酸化炭素供給管の内径が酸素供給管の内径の１／４程度しかなく、しかも、上述のように、ホウレンソウ水耕栽培室で発生した酸素の覆い空気が換気扇を介して吸い出されるため、ホウレンソウ水耕栽培室は減圧状態となる。また、ホウレンソウ水耕栽培室が減圧状態となる結果、二酸化炭素供給管を介してホウレンソウ水耕栽培室に二酸化炭素が吸い込まれるようにして供給される。
【００３７】
また、本発明のホウレンソウとキノコ類の相互栽培設備においては、好ましくは、第１の気体温度調整装置は、キノコ類栽培室における酸素供給管との接続部近傍に設けられた室外機と、ホウレンソウ水耕栽培室における二酸化炭素供給管との接続部近傍に設けられた室内機とからなる。
【００３８】
このように、第１の気体温度調整装置を、キノコ類栽培室に設けられた室外機と、ホウレンソウ水耕栽培室に設けられた室内機とで構成すれば、１台の気体温度調整装置のみの駆動でホウレンソウ水耕栽培室内とキノコ類栽培室内を生育条件に適合した温度とすべく、両方の室内に温度差を設けることが具現化できる。また、第１の気体温度調整装置における室外機をキノコ類栽培室における酸素供給管との接続部近傍に設けるとともに、第１の気体温度調整装置における室内機をホウレンソウ水耕栽培室における二酸化炭素供給管との接続部近傍に設ければ、キノコ類栽培室、ホウレンソウ水耕栽培室の夫々の室内における温度を、最も均質な状態にさせ易くなる。
【００３９】
また、本発明のホウレンソウとキノコ類の相互栽培設備においては、好ましくは、キノコ類栽培室内とホウレンソウ水耕栽培室内との所定の温度差を６度以上にする。
ホウレンソウの生育に適した温度は比較的低温であり、キノコ類の生育に適した温度は比較的高温である。キノコ類栽培室内がホウレンソウ水耕栽培室内との所定の温度差を６度以上にすれば、夫々の栽培室内を夫々の成長促進のための栽培条件を満たす温度にし易くなる。
【００４０】
また、本発明のホウレンソウとキノコ類の相互栽培設備においては、好ましくは、ホウレンソウ水耕栽培室内に、栽培中のホウレンソウの葉に微風を送ることで葉の水分の蒸発を促進する蒸発促進装置を備えている。
このようにすれば、ホウレンソウの葉の水分の蒸発量が増大し、ホウレンソウの根の部分と葉の部分との浸透圧差を増大させることができ、根を介して葉の部分に水分を吸い上げ易くなり、水分に含まれている光合成に必要な栄養素を多く葉に供給できる。そのため、葉の成長が促進される。
【００４１】
また、本発明のホウレンソウとキノコ類の相互栽培設備においては、好ましくは、ホウレンソウ水耕栽培室は、養液槽をなす水耕栽培トレイと水耕栽培トレイに供給される養液の上方でホウレンソウを載置ないし保持するための水耕栽培パネルを有し、水耕栽培パネルは、下部から供給される水分の蒸発を防ぐ蒸発防止部材を備えている。
ホウレンソウの根の部分の水分が不足すると、根から葉に水分が供給され難くなってしまう。
しかるに、本発明のように、水耕栽培パネルが、下部から供給される水分の蒸発を防ぐ蒸発防止部材を備えれば、養液槽からの水分を根から葉に十分に供給することができる。
【００４２】
また、本発明のホウレンソウとキノコ類の相互栽培設備においては、好ましくは、水耕栽培パネルには、成長するホウレンソウの根をガイドする切れ込みが設けられた、ホウレンソウを保持するためのスポンジが備えられ、蒸発防止部材は、スポンジの上側表面を覆う樹脂膜からなる。
このようにすれば、蒸発防止部材による養液槽からの水分を根から葉に十分に供給することが具現化できる。
【００４３】
また、本発明のホウレンソウとキノコ類の相互栽培設備においては、好ましくは、水耕栽培トレイ内に、スポンジから下方の養液内に伸びたホウレンソウの根を支持する網目状繊維部材を有する。
水耕栽培中のホウレンソウの根は下方に成長し、水耕栽培パネルに備えられたスポンジから下方の養液内に伸びて行く。
しかし、伸びた根が養液内では養液の流れにより揺れ動き易いと、根が細かく横方向に拡がって伸びていき、それに伴い葉が横方向に拡がってしまい易い。
しかるに、本発明のように、養液内に伸びたホウレンソウの根を支持する網目状繊維部材を有すれば、養液内で根を安定した状態に保持しながら、根に対して養液を十分に供給できるので、根が真っ直ぐに伸びていき、葉を真っ直ぐに成長させ易くなる。
【００４４】
また、本発明のホウレンソウとキノコ類の相互栽培設備においては、好ましくは、養液槽内に、ホウレンソウの根に酸素を供給する酸素供給装置を備えている。
このようにすれば、根の成長に必要な酸素を確実に供給でき、それに伴い葉の成長が促進される。
【００４５】
また、本発明のホウレンソウとキノコ類の相互栽培設備においては、好ましくは、前記ホウレンソウ水耕栽培室は、栽培中のホウレンソウを照明するＬＥＤ照明器具を有している。
また、本発明のホウレンソウとキノコ類の相互栽培設備においては、好ましくは、前記ホウレンソウ水耕栽培室は、前記水耕栽培トレイと前記水耕栽培パネルと前記水耕栽培パネル内のホウレンソウを照明する前記ＬＥＤ照明器具とを有してなる人工光型栽培設備を、上下方向に複数段重ねた状態で備えている。
【００４６】
現在、国内におけるホウレンソウ水耕栽培は、その殆ど全てが太陽光型プラントでのものである。太陽光型プラントは、大型となるため、大量消費地となる都心から離れた場所で栽培される。しかし、ホウレンソウは収穫後、傷みの進行が早いため、特に、夏場の時期に収穫を考慮する場合、消費地近郊での栽培が望まれる。
また、ホウレンソウは、上述したように、商品としての価値を持たせるために、日照時間が１２時間を超えないようにして、葉面を小さくする必要があり、１株あたりの葉面積が小さいため、他の野菜に比べて収穫量が非常に悪い。しかるに、太陽光型プラントでは、日照時間の長い夏場におけるホウレンソウの光照射時間を制御して栽培することが難しく、収穫が不安定になり易い。
【００４７】
しかるに、本発明のホウレンソウとキノコ類の相互栽培設備のように、ホウレンソウ水耕栽培室において、栽培中のホウレンソウの照明にＬＥＤ照明器具を用いれば、ホウレンソウに照射する時間を制御でき、夏場においても安定して収穫することができる。また、ＬＥＤ照明による人工光でのホウレンソウ栽培は、太陽光でのホウレンソウ栽培に比べて、数倍の速度でホウレンソウを成長させることができる。
また、本発明のホウレンソウとキノコ類の相互栽培設備のように、ホウレンソウ水耕栽培室に、水耕栽培トレイと水耕栽培パネルと水耕栽培パネル内のホウレンソウを照明するＬＥＤ照明器具を有してなる人工光型栽培設備を、上下方向に複数段重ねた状態で備えれば、ホウレンソウ水耕栽培室内における栽培設備の設置面積あたりのホウレンソウの栽培量を複数倍に増やすことができ、消費地近郊の小スペースの場所でもホウレンソウの収穫量を増やすことが可能になる。
なお、ホウレンソウ水耕栽培室において、栽培中のホウレンソウの照明にＬＥＤ照明器具を用いた場合、ＬＥＤ照明器具の光源とホウレンソウとの間が接近することになる。そして、ＬＥＤ照明器具の光源の熱がホウレンソウの栽培空間の温度を上げるように作用することになる。しかし、本発明のホウレンソウとキノコ類の相互栽培設備では、第１の気体温度調整装置、第２の気体温度調整装置及び第３の気体温度調整装置の夫々の駆動を制御する制御装置が、第１の気体温度調整装置や第２の気体温度調整装置を駆動させてホウレンソウ水耕栽培室内の温度ｔ１が所望の温度以下となるように制御するため、ＬＥＤ照明器具の光源の熱によってホウレンソウの栽培に悪影響を与えることはない。
以下、本発明の実施形態を、図面を用いて説明する。
【００４８】
第１実施形態
図１は本発明の一実施形態にかかるホウレンソウとキノコ類の相互栽培設備の全体構成を概略的に示す説明図である。図２は図１のホウレンソウとキノコ類の相互栽培設備における制御装置による気体温度調整装置の制御を概念的に示す表である。図３は図１のホウレンソウとキノコ類の相互栽培設備におけるホウレンソウ栽培部の要部構成を示す説明図である。図４は図３に示す要部構成に備わる水耕栽培パネルの変形例を示す説明図である。図５は図１のホウレンソウとキノコ類の相互栽培設備におけるホウレンソウ栽培部の全体構成を概略的に示す説明図である。
本実施形態のホウレンソウとキノコ類の相互栽培設備１は、ホウレンソウ水耕栽培室１０と、キノコ類栽培室２０と、酸素供給管３１と、二酸化炭素供給管３２と、換気扇３３と、第１の気体温度調整装置（室内機１２と室外機２２）と、第２の気体温度調整装置（室外機１３と室外機１４）と、第３の気体温度調整装置（室内機２３と室外機２４）と、制御装置４０と、除湿水供給装置３４，３５と、加湿装置２５を備えている。
【００４９】
ホウレンソウ水耕栽培室１０は、防温壁で覆われている。
ホウレンソウ水耕栽培室１０の内部には、ホウレンソウ水耕栽培部１１が設けられている。
ホウレンソウ水耕栽培部１１は、図３に示すように、養液槽をなす水耕栽培トレイ１１ａと、水耕栽培パネル１１ｂを備えている。
水耕栽培パネル１１ｂは、水に浮く特性を有する板状部材１１ｂ１で構成されている。板状部材１１ｂ１には、ホウレンソウの栽培位置に穴１１ｂ１１が設けられている。板状部材１１ｂ１の各穴１１ｂ１１には、ホウレンソウを保持するためのスポンジ１１ｂ２が埋め込まれている。スポンジ１１ｂ２には、成長するホウレンソウの根をガイドする切れ込み１１ｂ２１が設けられている。なお、切れ込み１１ｂ２１は、上下方向にホウレンソウの根をガイドできれば、どのような形状に形成してもよい。
そして、水耕栽培パネル１１ｂは、板状部材１１ｂ１の穴１１ｂ１１に設けられたスポンジ１１２を介して、水耕栽培トレイ１１ａに供給される養液の上方でホウレンソウを載置ないし保持する機能を備えている。
また、スポンジ１１ｂ２の上側表面には、樹脂膜１１ｃが覆われている。樹脂膜１１ｃは、水耕栽培パネル１１ｂの下部から供給される水分の蒸発を防ぐ蒸発防止部材として機能する。
また、水耕栽培トレイ１１ａ内には、スポンジ１１ｂ２から下方の養液内に伸びたホウレンソウの根を支持する網目状繊維部材１１ｄを有している。
さらに、水耕栽培トレイ１１ａ内には、ホウレンソウの根に酸素を供給する酸素供給装置としてエアストーン（符号省略）を備えている。
なお、図３の例では、水耕栽培パネル１１ｂを、水に浮く特性を有する板状部材１１ｂ１で構成したが、図４に示すように、個々のホウレンソウの苗を植えるように区画され、底に穴の空けられた容器部１１ｂ１１’を多数連ねた薄肉で樹脂製の容器アレイ１１ｂ１’で構成し、各容器部１１ｂ１１’にスポンジ１１ｂ２が埋め込まれるようにしてもよい。なお、図４では便宜上、容器アレイ１１ｂ１’を上下方向にひっくり返した状態で示してある。
【００５０】
また、ホウレンソウ水耕栽培部１１は、図５に示すように、さらに、栽培中のホウレンソウを照明するＬＥＤ照明器具１１ｅを有している。
また、ＬＥＤ照明器具１１ｅは、例えば、複数のＬＥＤを備えた防水タイプのＬＥＤテープと、ＬＥＤ電源供給用アダプタ（図示省略）とで構成されていて、天井部をなす棚板１１ｆに取り付けられている。ＬＥＤテープは、例えば、赤色ＬＥＤと青色ＬＥＤとを、所定の割合（例えば、３又は４：１）で備えている。なお、ＬＥＤ照明器具１１ｅは、例えば、赤色ＬＥＤと青色ＬＥＤとを３又は４：１の割合で配置したＬＥＤパネルで構成してもよい。
そして、ホウレンソウ水耕栽培部１１は、水耕栽培トレイ１１ａと水耕栽培パネル１１ｂと水耕栽培パネル１１ｂ内のホウレンソウを照明するＬＥＤ照明器具１１ｅとを有してなる人工光型栽培設備を、上下方向に複数段重ねた状態で備えている。
【００５１】
キノコ類栽培室２０は、防温壁で覆われている。
キノコ類栽培室２０の内部には、キノコ栽培部２１が設けられている。
キノコ栽培部２１は、従来公知のキノコの人工栽培器を用いて構成されている。キノコを人工栽培できるものであれば、どのような構成でも適用可能である。
【００５２】
酸素供給管３１は、ホウレンソウ水耕栽培室１０における上部位置に接続され、キノコ類栽培室２０に連通し、ホウレンソウ水耕栽培室１０内で生じた酸素を多く含む空気をキノコ類栽培室２０に送り込むことができるように構成されている。
二酸化炭素供給管３２は、キノコ類栽培室２０における下部位置に接続され、酸素供給管２１の内径φ１の約４分の１の内径を有し、ホウレンソウ水耕栽培室１０に連通し、キノコ類栽培室２０内で生じた二酸化炭素を多く含む空気をホウレンソウ水耕栽培室１０に送り込むことができるように構成されている。
換気扇３３は、ホウレンソウ水耕栽培室１０における酸素供給管３１との接続部近傍に設けられていて、作動することによりホウレンソウ水耕栽培室１０の空気をキノコ類栽培室２０に送り込むように構成されている。
そして、酸素供給管３１、二酸化炭素供給管３２及び換気扇３３は、相俟って、ホウレンソウ水耕栽培室１０内で生じた酸素を多く含む空気をキノコ類栽培室２０に供給するとともに、キノコ類栽培室２０内で生じた二酸化炭素を多く含む空気をホウレンソウ水耕栽培室１０に供給し、且つ、ホウレンソウ水耕栽培室１０内を減圧する、空気交換・減圧手段として機能するようになっている。
【００５３】
第１の気体温度調整装置は、室内機１２と室外機２２とで構成されている。
室内機１２は、ホウレンソウ水耕栽培室１０における二酸化炭素供給管３２との接合部近傍に設けられている。
室外機２２は、キノコ類栽培室２０における酸素供給管３１との接合部近傍に設けられている。
そして、第１の気体温度調整装置は、その駆動により、キノコ類栽培室２０内の温度がホウレンソウ水耕栽培室１０内の温度に比べて６度以上高くなるような温度差を設けることができるように構成されている。
【００５４】
第２の気体温度調整装置は、室内機１３と室外機１４とで構成されている。
室内機１３は、ホウレンソウ水耕栽培室１０内に設けられている。室外機１４は、ホウレンソウ水耕栽培室１０外に設けられている。
そして、第２の気体温度調整装置は、その駆動により、ホウレンソウ水耕栽培室１０内の温度を下げる冷房装置として機能するように構成されている。
【００５５】
第３の気体温度調整装置は、室内機２３と室外機２４とで構成されている。
室内機２３は、キノコ類栽培室２０内に設けられている。室外機２４は、キノコ類栽培室２０外に設けられている。
そして、第３の気体温度調整装置は、その駆動により、キノコ類栽培室２０内の温度を上げる暖房装置として機能するように構成されている。
【００５６】
制御装置４０は、ホウレンソウ水耕栽培室１０及びキノコ類栽培室２０の外部に設けられていて、第１の気体温度調整装置、第２の気体温度調整装置、第３の気体温度調整装置の夫々と回線を介して電気的に接続している。そして、制御装置４０は、図２に示す３つの駆動制御パターンのいずれかの駆動制御パターンで、第１の気体温度調整装置、第２の気体温度調整装置及び第３の気体温度調整装置の夫々の駆動を制御するように構成されている。
詳しくは、第１の駆動制御パターンは、第１の気体温度調整装置のみの駆動で、ホウレンソウ水耕栽培室１０内の温度ｔ１が所望の温度以下、且つ、キノコ類栽培室２０内の温度ｔ２が所望の温度以上になるときに、制御装置４０が、第１の気体温度調整装置、第２の気体温度調整装置及び第３の気体温度調整装置の夫々の駆動を制御する駆動制御パターンである。このときは、制御装置４０は、第１の気体温度調整装置のみを駆動させ、且つ、第２の気体温度調整装置及び第３の気体温度調整装置を停止させる。
また、第２の駆動制御パターンは、第１の気体温度調整装置のみの駆動で、ホウレンソウ水耕栽培室１０内の温度ｔ１が所望の温度を上回るときに、制御装置４０が、第１の気体温度調整装置、第２の気体温度調整装置及び第３の気体温度調整装置の夫々の駆動を制御する駆動制御パターンである。このときは、制御装置４０は、第１の気体温度調整装置及び第２の気体温度調整装置を駆動させてホウレンソウ水耕栽培室１０内の温度ｔ１が所望の温度以下となるようにし、且つ、第３の気体温度調整装置を停止させる。
また、第３の駆動制御パターンは、第１の気体温度調整装置のみの駆動で、キノコ類栽培室２０内の温度ｔ２が所望の温度を下回るときに、制御装置４０が、第１の気体温度調整装置、第２の気体温度調整装置及び第３の気体温度調整装置の夫々の駆動を制御する制御パターンである。このときは、制御装置４０は、第１の気体温度調整装置及び第３の気体温度調整装置を駆動させてキノコ類栽培室２０内の温度ｔ２が所望の温度以上となるようにし、且つ、第２の気体温度調整装置を停止させる。
【００５７】
除湿水供給装置３４は、第１の気体温度調整装置の駆動により、キノコ類栽培室２０とホウレンソウ水耕栽培室１０との温度差を調整する際に発生するホウレンソウ水耕栽培室１０内の除湿水をキノコ類栽培室２０内に供給するポンプで構成されている。
除湿水供給装置３５は、第２の気体温度調整装置の駆動により、ホウレンソウ水耕栽培室１０内の温度を下げる際に発生する除湿水をキノコ類栽培室２０内に供給するポンプで構成されている。
なお、図１の例では、２つの除湿水供給装置３４，３５を夫々用いて、第１の気体温度調整装置の駆動により発生した除湿水と、第２の気体温度調整装置の駆動により発生した除湿水とを別々にキノコ類栽培室２０内に供給する構成としたが、第１の気体温度調整装置の駆動により発生した除湿水と、第２の気体温度調整装置の駆動により発生した除湿水とが共通の配管を流れるようにし、１つの除湿供給装置を用いてキノコ類栽培室２０内に供給するように構成してもよい。
【００５８】
加湿装置２５は、高周波加湿器からなり、除湿水供給装置３４，３５によりキノコ類栽培室２０内に供給された除湿水を用いてキノコ類栽培室２０内を加湿するように構成されている。
【００５９】
その他、図示は省略したが、ホウレンソウ水耕栽培室１０内には、ホウレンソウ水耕栽培部１１の水耕栽培パネル１１ｂの上方に伸びる栽培中のホウレンソウの葉に微風を送ることで葉の水分の蒸発を促進する蒸発促進装置として、扇風機（符号省略）がホウレンソウの葉に対して斜めから弱い風を当てるようにして設けられている。
【００６０】
また、ホウレンソウ水耕栽培室１０内には、この他にもホウレンソウ水耕栽培部１１の水耕栽培トレイ１１ａ内に養液を供給するための公知の養液供給手段（図示省略）や、ホウレンソウの葉が光合成を行うためのＬＥＤ照明器具１１ｅからの照明光の照射時間を１２時間以下の所定時間に制御する照射時間制御装置（図示省略）が備えられている。
【００６１】
このように構成された本実施形態のホウレンソウとキノコ類の相互栽培設備１では、ホウレンソウとキノコ類を栽培するときに、ホウレンソウ水耕栽培室１０、キノコ類栽培室２０相互の空気の交換及び圧力の調整並びに温度及び湿度の調整が次のようにして行われる。
【００６２】
酸素と二酸化炭素の交換及び圧力の調整
ホウレンソウ水耕栽培室１０内のホウレンソウ水耕栽培部１１で栽培されるホウレンソウの葉は、光合成に際して二酸化炭素を吸収し、酸素を排出する。このため、ホウレンソウ水耕栽培室１０内の空気は、酸素を多く含んでいる。酸素は二酸化炭素に比べて軽いため、ホウレンソウ水耕栽培室１０の上部へ移動する。
一方、キノコ類栽培室２０内のキノコ栽培部２１で栽培されるキノコは成長に際して酸素を吸収し二酸化炭素を排出する。このため、キノコ類栽培室２０内の空気は、二酸化炭素を多く含んでいる。二酸化炭素は酸素に比べて重いため、キノコ類栽培室２０の下部へ移動する。
ホウレンソウ水耕栽培室１０の上部へ移動した酸素を多く含む空気は、換気扇３３によってホウレンソウ水耕栽培室１０内から吸い出され、酸素供給管３１を通り、キノコ類栽培室２０内へ送られる。
【００６３】
ここで、本実施形態のホウレンソウとキノコ類の相互栽培設備においては、ホウレンソウ水耕栽培室１０とキノコ類栽培室２０との間を連通する空気の流れる管として、酸素供給管３１と、二酸化炭素供給管３２の２本の管が設けられているが、二酸化炭素供給管３２の内径φ２は、酸素供給管３１の内径φ１の約４分の１程度である。このため、ホウレンソウ水耕栽培室１０内から換気扇３３によって吸い出されてキノコ類栽培室２０内へ送られる空気の量が、キノコ栽培室２０内から二酸化炭素供給管３２を通ってホウレンソウ水耕栽培室１０内へ送られる空気の量に比べて多くなり、ホウレンソウ水耕栽培室１０内は、減圧状態となる。
一方、キノコ類栽培室２０の下部へ移動した二酸化炭素を多く含む空気は、二酸化炭素供給管３２を通り、減圧状態となっているホウレンソウ水耕栽培室１０における二酸化炭素供給管３２と接続する壁穴から吸い込まれて、ホウレンソウ水耕栽培室１０内へ送られる。
これにより、ホウレンソウ水耕栽培室１０からキノコ類栽培室２０への酸素を多く含む空気の供給、キノコ類栽培室２０からホウレンソウ水耕栽培室１０への二酸化炭素を多く含む空気の供給が行われるとともに、ホウレンソウ水耕栽培室内が低圧状態、キノコ類栽培室２０内が高圧状態になる。
【００６４】
温度、湿度の調整
第１の気体温度調整装置を駆動させ、ホウレンソウ水耕栽培室１０内を冷房することで、ホウレンソウ水耕栽培室１０内とキノコ類栽培室２０内の温度差が６度以上発生させる。その際、ホウレンソウ水耕栽培室１０内の室内機１２内を流れる冷媒により、ホウレンソウ水耕栽培室１０内で空気が冷却されるときに生じる除湿水を、除湿水供給装置３４がキノコ類栽培室２０内に供給する。加湿装置（高周波加湿器）２５は、キノコ類栽培室２０内に供給された除湿水を用いて、キノコ類栽培室２０内を加湿する。
これにより、ホウレンソウ水耕栽培室１０内は低温度、低湿度状態、キノコ類栽培室２０内は高温度、高湿度状態になる。
【００６５】
ところで、上述のように、ホウレンソウは低温度を好むのに対し、キノコは高温度を好む。ここで、ホウレンソウ水耕栽培に適した温度の上限をｔ１Ｈ、キノコ類栽培に適した温度の下限をｔ２Ｌとすると、ホウレンソウ水耕栽培、キノコ類栽培において成長促進のために好適な温度条件は、夫々次のように示すことができる。
ｔ１≦ｔ１Ｈ                                    ・・・（１）
ｔ２Ｌ≦ｔ２                                    ・・・（２）
ところで、栽培室外の気温は大きく変動する。このため、外気の気温によっては、第１の気体温度調整装置の駆動により、ホウレンソウ水耕栽培室１０内とキノコ類栽培室２０内の温度差を所定の温度差以上（ここでは６度以上）設けても、ホウレンソウ水耕栽培室１０内の温度ｔ１、キノコ類栽培室２０内の温度ｔ２のいずれか一方が、成長促進のために好適な所望の温度条件を満たさない場合も起こり得る。
【００６６】
例えば、春や秋等は外気の温度が穏やかで、外気と栽培室内との温度差が比較的小さい場合が多い。外気と栽培室内との温度差が比較的小さい場合は、ホウレンソウ水耕栽培室１０内とキノコ類栽培室２０内の温度差を所定の温度差（ここでは６度以上）設けたときに、ホウレンソウ水耕栽培室１０内の温度ｔ１は上記条件式（１）を満足し、キノコ類栽培室２０内の温度ｔ２は上記条件式（２）を満足し易い。
【００６７】
これに対し、夏や冬等は外気の温度が高・低に偏る場合が多い。
外気の温度が高い場合は、ホウレンソウ水耕栽培室１０内とキノコ類栽培室２０内の温度差を所定の温度差（ここでは６度以上）設けたときに、キノコ類栽培室２０内の温度ｔ２は上記条件式（２）を満足しても、ホウレンソウ水耕栽培室１０内の温度ｔ１は上記条件式（１）を満足し難くなり易い。
また、外気の温度が低い場合は、ホウレンソウ水耕栽培室１０内とキノコ類栽培室２０内の温度差を所定の温度差（ここでは６度以上）設けたときに、ホウレンソウ水耕栽培室１０内の温度ｔ１は上記条件式（１）を満足しても、キノコ類栽培室２０内の温度ｔ２は上記条件式（２）を満足し難くなり易い。
【００６８】
ここで、本実施形態のホウレンソウとキノコ類の相互栽培設備においては、制御装置４０は、第１の気体温度調整装置のみの駆動で、ホウレンソウ水耕栽培室１０内の温度ｔ１が所望の温度以下（ｔ１≦ｔ１Ｈ）、且つ、キノコ類栽培室２０内の温度ｔ２が所望の温度以上（ｔ２Ｌ≦ｔ２）になるときには、第１の駆動制御パターンで、第１の気体温度調整装置、第２の気体温度調整装置及び第３の気体温度調整装置の夫々の駆動を制御し、第１の気体温度調整装置のみを駆動させ、且つ、第２の気体温度調整装置及び第３の気体温度調整装置を停止させる。
また、制御装置４０は、第１の気体温度調整装置のみの駆動で、ホウレンソウ水耕栽培室１０内の温度ｔ１が所望の温度を上回る（ｔ１Ｈ＜ｔ１）ときには、第２の駆動制御パターンで、第１の気体温度調整装置、第２の気体温度調整装置及び第３の気体温度調整装置の夫々の駆動を制御し、第１の気体温度調整装置及び第２の気体温度調整装置を駆動させてホウレンソウ水耕栽培室１０内の温度ｔ１が所望の温度以下となるようにし、且つ、第３の気体温度調整装置を停止させる。
また、制御装置４０は、第１の気体温度調整装置のみの駆動で、キノコ類栽培室２０内の温度ｔ２が所望の温度を下回る（ｔ２＜ｔ２Ｌ）ときには、第３の駆動制御パターンで、第１の気体温度調整装置、第２の気体温度調整装置及び第３の気体温度調整装置の夫々の駆動を制御し、第１の気体温度調整装置及び第３の気体温度調整装置を駆動させてキノコ類栽培室２０内の温度ｔ２が所望の温度以上となるようにし、且つ、第２の気体温度調整装置を停止させる。
これにより、外気の温度如何にかかわらず、ホウレンソウ水耕栽培室１０内とキノコ類栽培室２０内は、相互の温度差が所定の温度差（ここでは６度以上）設けられ、且つ、ホウレンソウ水耕栽培室１０内の温度ｔ１、キノコ類栽培室２０内の温度ｔ２は、夫々の成長促進のために好適な所望の温度条件を満たした状態に保たれる。
【００６９】
なお、ホウレンソウ水耕栽培室１０内の室内機１３内を流れる冷媒により、ホウレンソウ水耕栽培室１０内で空気が冷却されるときに生じる除湿水を、除湿水供給装置３５がキノコ類栽培室２０内に供給する。加湿装置（高周波加湿器）２５は、除湿水供給装置３４を介してキノコ類栽培室２０内に供給された除湿水と同様、除湿水供給装置３５を介してキノコ類栽培室２０内に供給された除湿水を用いて、キノコ類栽培室２０内を加湿する。
【００７０】
本実施形態のホウレンソウとキノコ類の相互栽培設備１によれば、キノコ類栽培室２０内の温度がホウレンソウ水耕栽培室１０内の温度に比べて高くなるように所定の温度差を設ける第１の気体温度調整装置と、ホウレンソウ水耕栽培室１０に設けられた、ホウレンソウ水耕栽培室１０内の温度を下げるための第２の気体温度調整装置と、キノコ類栽培室２０に設けられた、キノコ類栽培室２０内の温度を上げるための第３の気体温度調整装置と、第１の気体温度調整装置のみの駆動で、ホウレンソウ水耕栽培室２０内の温度ｔ１が所望の温度以下、且つ、キノコ類栽培室２０内の温度ｔ２が所望の温度以上になるときに、第１の気体温度調整装置のみを駆動させ、且つ、第２の気体温度調整装置及び第３の気体温度調整装置を停止させる第１の駆動制御パターン、第１の気体温度調整装置のみの駆動で、ホウレンソウ水耕栽培室１０内の温度ｔ１が所望の温度を上回るときに、第１の気体温度調整装置及び第２の気体温度調整装置を駆動させてホウレンソウ水耕栽培室１０内の温度ｔ１が所望の温度以下となるようにし、且つ、第３の気体温度調整装置を停止させる第２の駆動制御パターン、第１の気体温度調整装置のみの駆動で、キノコ類栽培室２０内の温度ｔ２が所望の温度を下回るときに、第１の気体温度調整装置及び第３の気体温度調整装置を駆動させてキノコ類栽培室２０内の温度ｔ２が所望の温度以上となるようにし、且つ、第２の気体温度調整装置を停止させる第３の駆動制御パターンのいずれかの駆動制御パターンで、第１の気体温度調整装置、第２の気体温度調整装置及び第３の気体温度調整装置の夫々の駆動を制御する制御装置４０を備えたので、気体温度調整装置の駆動を、外気の温度が比較的穏やかであるときには、１台の気体温度調整装置のみの駆動でホウレンソウ水耕栽培室１０内とキノコ類栽培室２０内を生育条件に適合した温度にすることができ、外気の温度が高・低のいずれかに偏っているときにのみ、２台の気体温度調整装置を駆動させればよいため、従来の生育条件の異なる２つの栽培室内を夫々所望の温度にするために、夫々、別個の気体温度調整装置を常時駆動させる構成に比べて、電気使用量を低減させることができる。
【００７１】
また、本実施形態のホウレンソウとキノコ類の相互栽培設備１によれば、第１の気体温度調整装置を、キノコ類栽培室２０に設けられた室外機２２と、ホウレンソウ水耕栽培室１０に設けられた室内機１２とで構成したので、１台の気体温度調整装置のみの駆動でホウレンソウ水耕栽培室１０内とキノコ類栽培室２０内を生育条件に適合した温度とすべく、両方の室内に温度差を設けることができる。また、第１の気体温度調整装置における室外機２２をキノコ類栽培室２０における酸素供給管３１との接続部近傍に設けるとともに、第１の気体温度調整装置における室内機１２をホウレンソウ水耕栽培室１０における二酸化炭素供給管３２との接続部近傍に設けたので、キノコ類栽培室２０、ホウレンソウ水耕栽培室１０の夫々の室内における温度を、最も均質な状態にさせ易くなる。
【００７２】
また、本実施形態のホウレンソウとキノコ類の相互栽培設備１によれば、第１の気体温度調整装置の駆動により、キノコ類栽培室２０とホウレンソウ水耕栽培室１０との温度差を調整する際に発生するホウレンソウ水耕栽培室１０内の除湿水（及び第２の気体温度調整装置の駆動により、ホウレンソウ水耕栽培室１０内の温度を下げる際に発生する除湿水）をキノコ類栽培室２０内に供給する除湿水供給装置３４（及び除湿水供給装置３５）と、除湿水供給装置３４（３５）によりキノコ類栽培室２０内に供給された除湿水を用いて、キノコ類栽培室２０内を加湿する加湿装置２５を備えたので、ホウレンソウ水耕栽培室１０で発生した水分を、キノコ類栽培室２０を高湿化するために必要な水分の一部として有効活用でき、その分、キノコ類栽培室２０を高湿化するために外部水道から用いる水の使用量を低減させることができる。
【００７３】
また、本実施形態のホウレンソウとキノコ類の相互栽培設備１によれば、ホウレンソウ水耕栽培室１０とキノコ類栽培室２０との間に設けられていて、ホウレンソウ水耕栽培室１０内で生じた酸素を多く含む空気をキノコ類栽培室２０に供給するとともに、キノコ類栽培室２０で生じた二酸化炭素を多く含む空気をホウレンソウ水耕栽培室１０に供給し、且つ、ホウレンソウ水耕栽培室１０内を減圧する、空気交換・減圧手段（酸素供給管３１、二酸化炭素供給管３２及び換気扇３３）を備えたので、ホウレンソウ水耕栽培室１０で発生した酸素を多く含む空気と、キノコ類栽培室２０で発生した二酸化炭素を多く含む空気を交換させ易くなるとともに、ホウレンソウ水耕栽培室１０内の気圧が下がることで、部屋内の葉からの水分を蒸発させやすくなり、ホウレンソウの成長を促進させ易くなる。
【００７４】
その他、ホウレンソウとキノコ類の相互栽培設備１によれば、水耕栽培されるホウレンソウの成長を促進する、次のような効果が得られる。
例えば、本実施形態のホウレンソウとキノコ類の相互栽培設備１によれば、ホウレンソウ水耕栽培室１０内に、栽培中のホウレンソウの葉に微風を送ることで葉の水分の蒸発を促進する蒸発促進装置として扇風機（符号省略）を備えたので、ホウレンソウの葉の水分の蒸発量が増大し、ホウレンソウの根の部分と葉の部分との浸透圧差を増大させることができ、根を介して葉の部分に水分を吸い上げ易くなり、水分に含まれている光合成に必要な栄養素を多く葉に供給できる。そのため、葉の成長が促進される。
【００７５】
また、本実施形態のホウレンソウとキノコ類の相互栽培設備１によれば、ホウレンソウ水耕栽培室１０は、ホウレンソウ水耕栽培部１１に、養液槽をなす水耕栽培トレイ１１ａと水耕栽培トレイ１１ａに供給される養液の上方でホウレンソウを載置ないし保持するための水耕栽培パネル１１ｂを有し、水耕栽培パネル１１ｂには、成長するホウレンソウの根をガイドする切れ込みが設けられた、ホウレンソウを保持するためのスポンジ１１ｂ２が備えられ、スポンジ１１ｂ２の上側表面を樹脂膜１１ｃで覆い、樹脂膜１１ｃを水耕栽培パネル１１ｂにおいて、下部から供給される水分の蒸発を防ぐ蒸発防止部材として備えたので、養液槽からの水分を根から葉に十分に供給することができる。
【００７６】
また、本実施形態のホウレンソウとキノコ類の相互栽培設備１によれば、水耕栽培トレイ１１ａ内に、スポンジ１１ｂ２から下方の養液内に伸びたホウレンソウの根を支持する網目状繊維部材１１ｄを有するので、養液内で根を安定した状態に保持しながら、根に対して養液を十分に供給でき、根が真っ直ぐに伸びていき、葉を真っ直ぐに成長させ易くなる。
【００７７】
また、本実施形態のホウレンソウとキノコ類の相互栽培設備１によれば、養液槽をなす水耕栽培トレイ１１ａ内に、ホウレンソウの根に酸素を供給する酸素供給装置としてエアストーン（符号省略）を備えたので、根の成長に必要な酸素を確実に供給でき、それに伴い葉の成長が促進される。
【００７８】
また、本実施形態のホウレンソウとキノコ類の相互栽培設備１によれば、ホウレンソウ水耕栽培室１０において、栽培中のホウレンソウの照明にＬＥＤ照明器具１１ｅを用いたので、ホウレンソウに照射する時間を制御でき、夏場においても安定して収穫することができる。また、ＬＥＤ照明による人工光でのホウレンソウ栽培は、太陽光でのホウレンソウ栽培に比べて、数倍の速度でホウレンソウを成長させることができる。
また、本実施形態のホウレンソウとキノコ類の相互栽培設備１によれば、ホウレンソウ水耕栽培室１０に、水耕栽培トレイ１１ａと水耕栽培パネル１１ｂと水耕栽培パネル１１ｂ内のホウレンソウを照明するＬＥＤ照明器具１１ｄを有してなる人工光型栽培設備を、上下方向に複数段重ねた状態で備えたので、ホウレンソウ水耕栽培室１０内におけるホウレンソウ水耕栽培部１１の設置面積あたりのホウレンソウの栽培量を複数倍に増やすことができ、消費地近郊の小スペースの場所でもホウレンソウの収穫量を増やすことが可能になる。
【産業上の利用可能性】
【００７９】
本発明のホウレンソウとキノコ類の相互栽培設備は、ホウレンソウの水耕栽培とキノコ類の栽培を同時に行う栽培施設の他、温度、湿度、圧力等の栽培条件が相反する二種類の栽培対象を同時に行う栽培施設にも有用である。
【符号の説明】
【００８０】
１          ホウレンソウとキノコ類の相互栽培設備
１０        ホウレンソウ水耕栽培室
１１        ホウレンソウ水耕栽培部
１１ａ      水耕栽培トレイ
１１ｂ      水耕栽培パネル
１１ｂ１    板状部材
１１ｂ１１  穴
１１ｂ２    スポンジ
１１ｂ２１  切れ込み
１１ｃ      樹脂膜（蒸発防止部材）
１１ｄ      網目状繊維部材
１１ｅ      ＬＥＤ照明器具
１１ｆ      棚板
１１ｂ１’  容器アレイ
１１ｂ１１’容器部
１２、１３、２３      室内機
１４、２２、２４      室外機
２１        キノコ栽培部
２５        加湿装置（高周波加湿器）
３１        酸素供給管
３２        二酸化炭素供給管
３３        換気扇（ファン）
３４、３５  除湿水供給装置（ポンプ）
４０        制御装置
【図１】
0006392692.tif 000002
【図２】
0006392692.tif 000003
【図３】
0006392692.tif 000004
【図４】
0006392692.tif 000005
【図５】
0006392692.tif 000006